(57)【要約】【課題】スイッチが複数のシフトポジション或いは位置において運動する時、スイッチ上に配置する遮蔽板の少なくとも局部区域は、別の隣接するスイッチの運動範囲内に進入することができるマルチシフトポジションスイッチ構造を提供する。【解決手段】マルチシフトポジションスイッチ構造は、殼体３０と少なくとも１個のマルチシフトポジションスイッチの組合せを備え、スイッチは重なった形態を形成する２枚の遮蔽板１４、２４を設置し、遮蔽板１４、２４は重なった形態を、それぞれ上遮蔽板１４ａ、下遮蔽板１４ｂと定義し、上、下遮蔽板１４ａ、１４ｂはスイッチ上で自在にスライドでき、スイッチが移動しシフトポジション或いは位置を変換する時、上遮蔽板１４ａ及び／或いは下遮蔽板１４ｂの少なくとも一部の区域は、隣接する別のスイッチの運動範囲内に進入でき、これにより隣接する両方のスイッチの間隔距離は、できる限り縮小され、遮蔽板１４、２４のスライド過程において、位置がずれ空白が生まれる従来の技術の欠点を改善することができる。【選択図】図１１
0003171378.tif 000002
【実用新案登録請求の範囲】
【請求項１】
マルチシフトポジションスイッチ構造は、少なくとも１個のマルチシフトポジションスイッチを備え、
前記スイッチには、遮蔽板を設置し、
前記スイッチが位置を変換する時には、前記遮蔽板の少なくとも一部の区域は、隣接する別のスイッチの運動範囲内に進入することを特徴とするマルチシフトポジションスイッチ構造。
【請求項２】
前記スイッチの遮蔽板は、自在にスライド可能で、重なった形態を呈し、
しかも前記重なった形態により、それぞれ上遮蔽板と下遮蔽板に定義されることを特徴とする請求項１に記載のマルチシフトポジションスイッチ構造。
【請求項３】
前記スイッチは、第一スイッチと定義され、前記隣接する別のスイッチは、第二スイッチと定義され、
前記第一スイッチの参考面上の高度は、前記第二スイッチの高度より高く、これにより、前記遮蔽板は少なくとも一部の区域が、前記隣接する第二スイッチの運動範囲内に進入することを特徴とする請求項１に記載のマルチシフトポジションスイッチ構造。
【請求項４】
前記スイッチは、押し棒、及び前記押し棒に連接する台を備え、
前記台は、一辺に突起を設置し、弾性を備え、スイッチに従い移動することを特徴とする請求項１に記載のマルチシフトポジションスイッチ構造。
【請求項５】
前記スイッチは、シフト槽或いはシフトポジションに連接し、
これにより、スイッチは、前記シフト槽或いはシフトポジション上において移動することができることを特徴とする請求項１に記載のマルチシフトポジションスイッチ構造。
【請求項６】
前記突起は、シフト槽或いはシフトポジション内に位置し、
これにより、前記突起は、前記シフト槽或いはシフトポジション上で移動することができることを特徴とする請求項４に記載のマルチシフトポジションスイッチ構造。
【請求項７】
前記遮蔽板は、前記スイッチ上に固定する形態を呈することを特徴とする請求項１に記載のマルチシフトポジションスイッチ構造。
【請求項８】
前記第二スイッチは、押し棒、及び前記押し棒に連接する台を備え、
前記台は、一辺に突起を設置し、弾性を備え、スイッチに従い移動し、
前記台には、遮蔽板を設置することを特徴とする請求項３に記載のマルチシフトポジションスイッチ構造。
【請求項９】
前記上、下遮蔽板は、それぞれ孔を形成し、前記上、下遮蔽板は、前記孔の両側に、それぞれ第一端と第二端を定義し、
前記スイッチは、押し棒、及び前記押し棒に連接する台を備え、これにより前記押し棒は孔を通過し、こうして前記遮蔽板は、前記台上面に組み合わされることを特徴とする請求項２に記載のマルチシフトポジションスイッチ構造。
【請求項１０】
前記孔は、長方形を呈することを特徴とする請求項９に記載のマルチシフトポジションスイッチ構造。
【請求項１１】
前記遮蔽板は、第一端と第二端を定義され、
しかも、前記遮蔽板の第一端は、少なくとも前記隣接するスイッチの運動範囲内に進入することを特徴とする請求項１に記載のマルチシフトポジションスイッチ構造。
【請求項１２】
前記台上面には、凸リブを設置することを特徴とする請求項９に記載のマルチシフトポジションスイッチ構造。
【請求項１３】
前記台と前記下遮蔽板との間の干渉力は、前記下遮蔽板と前記上遮蔽板との間の干渉力より大きいことを特徴とする請求項９に記載のマルチシフトポジションスイッチ構造。
【請求項１４】
前記スイッチには、導電片を設置し、
前記導電片は、前記回路板基層と、電気的連接を形成することを特徴とする請求項１に記載のマルチシフトポジションスイッチ構造。
【請求項１５】
前記スイッチは、第一スイッチと定義され、前記隣接する別のスイッチは、第二スイッチと定義され、
前記第一、二スイッチは、それぞれ押し棒、及び前記押し棒と連接する台を備え、
前記第一スイッチの台の参考面上の高度は、前記第二スイッチの台の高度より高いことを特徴とする請求項１に記載のマルチシフトポジションスイッチ構造。
【請求項１６】
前記遮蔽板は、第一端と第二端を定義され、
前記第一端及び／或いは前記第二端の幅は、前記遮蔽板そのものの幅より小さいことを特徴とする請求項１に記載のマルチシフトポジションスイッチ構造。
【請求項１７】
前記遮蔽板は、第一端と第二端を定義され、
前記第一端及び／或いは第二端の幅は、前記遮蔽板そのものの幅に等しいことを特徴とする請求項１に記載のマルチシフトポジションスイッチ構造。
【請求項１８】
マルチシフトポジションスイッチ構造は、殼体を備え、
前記殼体は、少なくとも１個のフレームを備え、前記フレームは、前記殼体内において、少なくとも１個の第一区と第二区を区画し、
前記第一、二区には、貫通孔を設置し、前記第二区の貫通孔位置は、参考面上では、前記第一区の貫通孔位置より高いことを特徴とするマルチシフトポジションスイッチ構造。
【請求項１９】
前記第二区の貫通孔周辺には、突出形態を形成し、
これにより前記第二区の貫通孔位置は、前記第一区の貫通孔位置より高いことを特徴とする請求項１８に記載のマルチシフトポジションスイッチ構造。
【請求項２０】
前記第二区内には、リッジを設置し、
前記リッジの高度は、前記第二区貫通孔の高度と相同であることを特徴とする請求項１８に記載のマルチシフトポジションスイッチ構造。
【請求項２１】
前記第二区内には、リッジを設置し、
前記リッジの高度は、前記貫通孔周辺突出形態の高度と相同であることを特徴とする請求項１９に記載のマルチシフトポジションスイッチ構造。
【請求項２２】
前記第一区は、第一スイッチを設置し、前記第二区は、第二スイッチを設置し、
しかも、前記第二スイッチの位置は、前記第一スイッチの位置より低いことを特徴とする請求項１８に記載のマルチシフトポジションスイッチ構造。
【請求項２３】
前記殼体は、前記貫通孔に近い区域上に、シフト槽或いはシフトポジションを設置することを特徴とする請求項１８に記載のマルチシフトポジションスイッチ構造。
【請求項２４】
マルチシフトポジションスイッチ構造は、殼体を備え、
前記殼体は、少なくとも１個のフレームを備え、前記フレームは、前記殼体内において、少なくとも１個の第一区と第二区を区画し、
前記第一、二区には、貫通孔を設置し、
該第二区には、少なくとも１個のリッジを設置し、前記リッジの高度は、参考面上において、前記第二区貫通孔の位置より高いことを特徴とするマルチシフトポジションスイッチ構造。
【請求項２５】
前記第二区の貫通孔周辺には、突出形態を形成し、
これにより、前記第二区の貫通孔高度は、前記リッジの高度と相同であることを特徴とする請求項２４に記載のマルチシフトポジションスイッチ構造。
【請求項２６】
前記第二区の貫通孔位置は、前記第一区の貫通孔位置より高いことを特徴とする請求項２５に記載のマルチシフトポジションスイッチ構造。
【請求項２７】
前記第一区は、第一スイッチを設置し、前記第二区は、第二スイッチを設置し、
しかも、前記第二スイッチの位置は、前記第一スイッチの位置より低いことを特徴とする請求項２４に記載のマルチシフトポジションスイッチ構造。
【請求項２８】
前記殼体は、前記貫通孔に近い区域上に、シフト槽或いはシフトポジションを設置することを特徴とする請求項２４に記載のマルチシフトポジションスイッチ構造。
【請求項２９】
マルチシフトポジションスイッチ構造は、殼体と少なくとも１個のマルチシフトポジションスイッチの組合せを備え、
前記殼体は、少なくとも１個のフレームを備え、
前記フレームは、前記殼体内において、少なくとも１個の第一区と第二区を区画し、
前記第一、二区には、貫通孔を設置し、
前記スイッチは、前記第一区に設置し、
前記スイッチには、遮蔽板を設置し、前記スイッチが位置を変換する時には、前記遮蔽板の少なくとも一部の区域は、隣接する別のスイッチの運動範囲内に進入することを特徴とするマルチシフトポジションスイッチ構造。
【請求項３０】
前記スイッチの遮蔽板は、自在にスライド可能で、重なった形態を呈し、
しかも、前記重なった形態により、それぞれ上遮蔽板と下遮蔽板に定義されることを特徴とする請求項２９に記載のマルチシフトポジションスイッチ構造。
【請求項３１】
前記スイッチは、第一スイッチと定義され、前記隣接する別のスイッチは、第二スイッチと定義され、
前記第一スイッチの参考面上の高度は、前記第二スイッチの高度より高く、これにより、前記遮蔽板は少なくとも一部の区域が、前記隣接する第二スイッチの運動範囲内に進入することを特徴とする請求項２９に記載のマルチシフトポジションスイッチ構造。
【請求項３２】
前記スイッチは、押し棒、及び前記押し棒に連接する台を備え、
前記台は、一辺に突起を設置し、弾性を備え、スイッチに従い移動することを特徴とする請求項２９に記載のマルチシフトポジションスイッチ構造。
【請求項３３】
前記スイッチは、シフト槽或いはシフトポジションに連接し、
これによりスイッチは、前記シフト槽或いはシフトポジション上において移動することができることを特徴とする請求項２９に記載のマルチシフトポジションスイッチ構造。
【請求項３４】
前記突起は、シフト槽或いはシフトポジション内に位置し、
これにより前記突起は、前記シフト槽或いはシフトポジション上で移動することができることを特徴とする請求項３２に記載のマルチシフトポジションスイッチ構造。
【請求項３５】
前記遮蔽板は、前記スイッチ上に固定する形態を呈することを特徴とする請求項２９に記載のマルチシフトポジションスイッチ構造。
【請求項３６】
前記第二スイッチは、押し棒、及び前記押し棒に連接する台を備え、
前記台は、一辺に突起を設置し、弾性を備え、スイッチに従い移動し、
前記台には、遮蔽板を設置することを特徴とする請求項３１に記載のマルチシフトポジションスイッチ構造。
【請求項３７】
前記上、下遮蔽板は、それぞれ孔を形成し、前記上、下遮蔽板は、前記孔の両側に、それぞれ第一端と第二端を定義し、
前記スイッチは、押し棒、及び前記押し棒に連接する台を備え、
これにより前記押し棒は孔を通過し、こうして前記遮蔽板は、前記台上面に組み合わされることを特徴とする請求項３０に記載のマルチシフトポジションスイッチ構造。
【請求項３８】
前記孔は、長方形を呈することを特徴とする請求項３７に記載のマルチシフトポジションスイッチ構造。
【請求項３９】
前記遮蔽板は、第一端と第二端を定義され、しかも、前記遮蔽板の第一端は、少なくとも前記隣接するスイッチの運動範囲内に進入することを特徴とする請求項２９に記載のマルチシフトポジションスイッチ構造。
【請求項４０】
前記台上面には、凸リブを設置することを特徴とする請求項３７に記載のマルチシフトポジションスイッチ構造。
【請求項４１】
前記台と前記下遮蔽板との間の干渉力は、前記下遮蔽板と前記上遮蔽板との間の干渉力より大きいことを特徴とする請求項３７に記載のマルチシフトポジションスイッチ構造。
【請求項４２】
前記スイッチには、導電片を設置し、
前記導電片は、前記回路板基層と、電気的連接を形成することを特徴とする請求項２９に記載のマルチシフトポジションスイッチ構造。
【請求項４３】
前記スイッチは、第一スイッチと定義され、前記隣接する別のスイッチは、第二スイッチと定義され、
前記第一、二スイッチは、それぞれ押し棒、及び前記押し棒と連接する台を備え、
前記第一スイッチの台の参考面上の高度は、前記第二スイッチの台の高度より高いことを特徴とする請求項２９に記載のマルチシフトポジションスイッチ構造。
【請求項４４】
前記第二区の貫通孔位置は、参考面上では、前記第一区の貫通孔位置より高いことを特徴とする請求項２９に記載のマルチシフトポジションスイッチ構造。
【請求項４５】
前記第二区の貫通孔周辺には、突出形態を形成し、これにより前記第二区の貫通孔位置は、前記第一区の貫通孔位置より高いことを特徴とする請求項２９に記載のマルチシフトポジションスイッチ構造。
【請求項４６】
前記第二区内には、リッジを設置し、
前記リッジの高度は、前記第二区貫通孔の高度と相同であることを特徴とする請求項２９に記載のマルチシフトポジションスイッチ構造。
【請求項４７】
前記第二区内には、リッジを設置し、
前記リッジの高度は、前記貫通孔周辺突出形態の高度と相同であることを特徴とする請求項４５に記載のマルチシフトポジションスイッチ構造。
【請求項４８】
前記第一区は、第一スイッチを設置し、前記第二区は、第二スイッチを設置し、
しかも、前記第二スイッチの位置は、前記第一スイッチの位置より低いことを特徴とする請求項２９に記載のマルチシフトポジションスイッチ構造。
【請求項４９】
前記殼体は、前記貫通孔に近い区域上に、シフト槽或いはシフトポジションを設置することを特徴とする請求項２９に記載のマルチシフトポジションスイッチ構造。
【請求項５０】
前記第二区には、少なくとも１個のリッジを設置し、
前記リッジの高度は、参考面上において、前記第二区貫通孔の位置より高いことを特徴とする請求項２９に記載のマルチシフトポジションスイッチ構造。
【請求項５１】
前記殼体は、前記貫通孔に近い区域上に、シフト槽或いはシフトポジションを設置することを特徴とする請求項２９に記載のマルチシフトポジションスイッチ構造。
【請求項５２】
前記遮蔽板は、第一端と第二端を定義され、
前記第一端及び／或いは前記第二端の幅は、前記遮蔽板そのものの幅より小さいことを特徴とする請求項２９に記載のマルチシフトポジションスイッチ構造。
【請求項５３】
前記遮蔽板は、第一端と第二端を定義され、
前記第一端及び／或いは前記第二端の幅は、前記遮蔽板そのものの幅に等しいことを特徴とする請求項２９に記載のマルチシフトポジションスイッチ構造。
【請求項５４】
前記殼体は、計算機殼体で、
前記殼体には、複数のボタンを配置し、
前記ボタン下方には、導電層と回路板基層を設置し、
前記導電層は、弾性メカニズムを備え、しかも内部空間を区画し、接点を収容し、前記回路板基層と、接触或いは不接触を形成することを特徴とする請求項２９に記載のマルチシフトポジションスイッチ構造。
【考案の詳細な説明】
【技術分野】
【０００１】
本考案は電子製品上に使用するマルチシフトポジションスイッチ構造に関し、特にスイッチが複数のシフトポジション或いは位置において運動する時、スイッチ上に配置する遮蔽板の少なくとも局部区域は、別の隣接するスイッチの運動範囲内に進入することができるマルチシフトポジションスイッチ構造に関する。
【背景技術】
【０００２】
キーボードを使用する電子製品（計算機、携帯電話、コンピューターなど）には、印刷回路板が設置されている。
印刷回路板上には、ボタンへのタップ或いは下圧に反応し、変形量を生じる導電層（或いはラバークッション）を設置する。
導電層は、キーボード或いはボタンに対応する複数の接点を備え、ボタンがタップされると、印刷回路板と電気的連接を形成する。
キーボード上には、複数のファンクションキーも設置されており、これも印刷回路板と電気的連接を形成する。
ボタンへの下圧とキーへのタップ等操作に対応し、使用者は、ボタン或いはキーにより入力するコマンド、情報等を選択して操作できる。
これは公知の技術である。
【０００３】
このタイプの電子製品は、設計が発展するに従い、コンパクトで軽量かつ薄く、使用者の携帯に便利な構造へと設計のトレンドが向かっている。
つまり、これらボタン或いはファンクションキーは、より小型の電子製品上に配置されるようになっているのである。
そのため当然、ボタンの面積或いは体積も可能な限り縮小され、電子製品において配置に用いる平面或いは空間を減らすように求められている。
このタイプのコンパクト電子製品における課題は、上記した構造設計のトレンドに比べ、ある種のファンクションキー或いはボタンの設置には、比較的大きな作動空間或いは範囲が必要なことである。
この状況のため、小型電子製品の構造設計は非常に困難になっている。
【０００４】
例えば、計算機のキーボード構造は通常は、累乗根、小数点切上げ、小数点以下の数等複数のファンクションキー或いはボタンを備える。
また、ファンクションキーの中には、使用者が必要な機能オプション或いはコマンドを選択できるよう、キーボードエリアの多数のシフト槽或いはシフトポジション間で移動操作を行う必要があるものもある。
上記したキーの配置と必要な機能の獲得のため、計算機は、少なくとも３個のシフトポジションを備える小数点切上げキーと、少なくとも６個のシフトポジションを備える小数点以下の数キーを配置する。
図１、２に、典型的な実施例を示す。
【０００５】
図１、２に示すように、構造と回路の設計のため、６個のシフトポジションを備える小数点以下の数キーと３個のシフトポジションを備える小数点切上げ方式キーは共に、隣接し、或いは並列した形態でキーボードエリア上に配置される。
この実施例では、それぞれ第一キー１０’と第二キー２０’に定義される。
図中の右から左へ向かい、シフト槽或いはシフトポジション１０ａ、２０ａは、それぞれ第一シフトから第六シフトに定義される。
図１、２は、第一キー１０’が第一シフトの位置にあり、第二キー２０’が第二シフトポジションにある状況を示す。
【０００６】
実施時には、幅が約１０．５センチの計算機において、３個のシフトポジションを備える小数点切上げ方式キー（或いは第二キー２０’）の、計算機或いはキーボードエリア内部における、作動に必要な長さ、或いは占拠する範囲は、約２．５センチである。
６個のシフトポジションを備える小数点以下の数キー（或いは第一キー１０’）の、計算機或いはキーボードエリア内部の作動に必要な長さ或いは占拠する範囲は、約３．５センチである。
すなわち、２個のファンクションキーを、計算機上に配置するためには、合計６センチもの幅が必要で、それに対応するため当然、他のボタン或いはファンクションキーの配置とレイアウトを圧迫している。
よって、計算機上における、それらの配置（幅或いは間隔距離）をいかにして縮小するかは、解決或いは改善が待たれる課題である。
【０００７】
基本的に、第一、二キー１０’、２０’の構造は、突出殼体（或いはキーボードエリア）３０の押し棒１１、２１、及び押し棒１１、２１に連接する台１２、２２を備える。
台１２、２２の底部には、導電片１５、２５を配置し、印刷回路板と電気的連接を直接に形成する。
押し棒１１、２１は、殼体（或いはキーボードエリア）３０上に配置する貫通孔３１、３２からキーボードエリアに突出し、これにより使用者は押し棒１１、２１を操作し第一、二キー１０’、２０’或いは台１２、２２を移動させることができる。
台１２、２２は、殼体３０内部に位置する。
【０００８】
図２に示すように、該台１２、２２は、一辺に突起１３、２３を設置し、第一、二キー１０’、２０’に従い弾性を呈して移動し、シフト槽或いはシフトポジション１０ａ、２０ａ内に係合する。
第二キー２０’の台２２には、遮蔽板２４を設置する。
第一キー１０’は、重なった形態で２枚の遮蔽板１４を設置する。
しかも、遮蔽板１４の重なった形態に基づき、上遮蔽板１４ａと下遮蔽板１４ｂに定義する。
【０００９】
遮蔽板１４、２４は、第一、二キー１０’、２０’が操作され移動すると、遮蔽ボタンエリア３０の貫通孔３１、３２を補助し、貫通孔３１、３２が貫通することで、殼体（或いはキーボードエリア）３０内部に設置する印刷回路板が露出しないようにすることができる。
例えば、図１は、第一キー１０’が図中の最も右側の第一シフトポジションにある時、上遮蔽板１４ａと下遮蔽板１４ｂが一緒に貫通孔３１を遮蔽する状況示す。
【００１０】
図３、４は、第一キー１０’が、第一シフトポジションから第二シフトポジションへと移動する状況を示す。
上遮蔽板１４ａは、押し棒１１に従っての移動は行わないが、下遮蔽板１４ｂは、台１２に従い運動し、図中の左側へと移動する。
図５、６は、第一キー１０’が、第二シフトポジションから第三シフトポジションへと移動する状況を示す。
この時、上遮蔽板１４ａはまだ押し棒１１に従って移動していないが、下遮蔽板１４ｂは台１２に従い運動し、図中左側への移動を継続する。
【００１１】
図７、８は、第一キー１０’が、第三シフトポジションから第四シフトポジションへと移動する状況を示す。
この時、上遮蔽板１４ａはまだ押し棒１１に従って移動していないが、下遮蔽板１４ｂは台１２に従い運動し、図中左側への移動を継続する。
図中では特に、上遮蔽板１４ａと下遮蔽板１４ｂとの間に、位置がずれたことで生まれた空白或いは貫通区域が出現し、印刷回路板が露出する状況を示す。
この種の状況はもちろん望まれるものではない。
この空白或いは貫通区域を、図中では参考番号ｓとして表示する。
【００１２】
もし、第一キー１０’が、継続して上記した第四シフトポジションから第五シフトポジションへと移動するなら、下遮蔽板１４ｂの左側は、殼体３０のフレーム３３により阻害されるため、下遮蔽板１４ｂはそれ以上移動することができない。
但し、押し棒１１は、上遮蔽板１４ａを押し、図中の左側へと移動させ始め、これにより上遮蔽板１４ａは、上記した空白或いは貫通区域χを遮蔽する。
【００１３】
上記した参考資料は、ファンクションキー或いはスイッチ、遮蔽板とボタンエリア等関連組み立て構造の設計技術を開示している。
上記した構造設計に改良を加え、その構造を刷新し使用形態を改変すれば、その応用範囲を拡大することができる。
構造設計上、複数のファンクションキー或いはスイッチを配置しても、ボタンエリア空間における配置において、他のボタン或いはファンクションキーを圧迫している状況を改善することができ、電子製品或いは計算機上での配置（幅或いは間隔距離）を縮小することができ、或いはキー操作時に、遮蔽板の位置がずれたことで貫通区域或いは空白が生まれる状況を改善する方策は、上記した参考資料中では、教示或いは具体的な開示がなされていない。
本考案は、従来のマルチシフトポジションスイッチ構造の上記した欠点に鑑みてなされたものである。
【考案の概要】
【考案が解決しようとする課題】
【００１４】
本考案が解決しようとする課題は、殼体と少なくとも１個のマルチシフトポジションスイッチの組合せを備え、スイッチは、第一スイッチと定義され、重なった形態を形成する２枚の遮蔽板を設置し、遮蔽板は重なった形態により、それぞれ上遮蔽板、下遮蔽板と定義され、上、下遮蔽板は第一スイッチ上で自在にスライドし、第一スイッチが移動しシフトポジション或いは位置を変換する時、上遮蔽板及び／或いは下遮蔽板の少なくとも一部の区域は、隣接する別のスイッチ（第二スイッチと定義される）の運動範囲内に進入でき、これにより隣接する両方のスイッチの間隔距離は、できる限り縮小され、遮蔽板のスライド過程において、位置がずれ空白が生まれる従来の技術の欠点を改善することができるマルチシフトポジションスイッチ構造を提供することである。
【課題を解決するための手段】
【００１５】
上記課題を解決するため、本考案は下記のマルチシフトポジションスイッチ構造を提供する。
マルチシフトポジションスイッチ構造の第一スイッチは、突出殼体或いはキーボードエリアの押し棒、及び該押し棒と連接する台を備え、該台は、一辺に突起を設置し、弾性を備え、第一スイッチに従い移動し、
しかも、該第一スイッチ（或いは第一スイッチの台）の参考断面上における高度は、第二スイッチ（或いは第二スイッチの台）の高度より高く、
これにより、上遮蔽板及び／或いは下遮蔽板の少なくとも一部の区域は、隣接する第二スイッチの運動範囲内に進入することができ、
よって、隣接する２個のスイッチの長さの合計或いは間隔距離配置は、可能な限り最小まで縮小され、
本考案のマルチシフトポジションスイッチ構造の殼体（或いはボタンエリア）は、少なくとも１個のフレームを備え、殼体上において、それぞれ少なくとも１個の第一区と第二区を区画し、それぞれ該第一、二スイッチの設置に用い、
該第一、二区には、それぞれ貫通孔を設置し、これにより該第一、二スイッチの押し棒は該殼体から突出し、
該第二区には、リブ或いはリッジを設置し、これにより該第二スイッチを、第二区に設置する時には、その台の参考断面上での高度は、該第一スイッチの台の高度より低い。
【考案の効果】
【００１６】
本考案のマルチシフトポジションスイッチ構造において、上、下遮蔽板は第一スイッチ上で自在にスライドできるため、第一スイッチが移動しシフトポジション或いは位置を変換する時、上遮蔽板及び／或いは下遮蔽板の少なくとも一部の区域は、隣接する別のスイッチ（第二スイッチと定義される）の運動範囲内に進入でき、これにより隣接する両方のスイッチの間隔距離は、できる限り縮小され、遮蔽板のスライド過程において、位置がずれ空白が生まれる従来の技術の欠点を改善することができる。
【図面の簡単な説明】
【００１７】
【図１】上遮蔽板と下遮蔽板が共同で貫通孔を遮蔽する状況を示す、従来の第一キーが第一シフトポジションにあり、第二キーが第三シフトポジションにある実施例の断面模式図である。
【図２】図１の第一キーが第一シフトポジションにあり、第二キーが第三シフトポジションにある別種の平面断面模式図である。
【図３】上遮蔽板は押し棒に従っての移動は行わないが、下遮蔽板が台に従い運動し、図中の左側へと移動する状況を示す、従来の第一キーが第一シフトポジションから第二シフトポジションへと移動する実施例の断面模式図である。
【図４】図３の第一キーが第二シフトポジションにある別種の平面断面模式図である。
【図５】上遮蔽板は押し棒に従っての移動はまだ行わないが、下遮蔽板は台に従い運動し、図中左側へと移動を継続する状況を示す、従来の第一キーが第二シフトポジションから第三シフトポジションへと移動する実施例の断面模式図である。
【図６】図５の第一キーが第三シフトポジションにある別種の平面断面模式図である。
【図７】上遮蔽板は押し棒に従っての移動はまだ行わないが、下遮蔽板は台に従い運動し、図中左側へと移動を継続する状況、及び上遮蔽板と下遮蔽板との間に、位置がずれたことで生まれた空白或いは貫通区域が出現した状況を特別に示す、従来の第一キーが第三シフトポジションから第四シフトポジションへと移動する実施例の断面模式図である。
【図８】図７の第一キーが第四シフトポジションにある別種の平面断面模式図である。
【図９】本考案マルチシフトポジションスイッチと殼体の関連位置を示す模式図である。
【図１０】殼体内部構造の状況を示す本考案マルチシフトポジションスイッチと殼体の組合せの実施例模式図である。
【図１１】図１０の構造分解模式図である。
【図１２】上遮蔽板と下遮蔽板が共同で貫通孔を遮蔽する状況を示す、本考案第一スイッチが第一シフトポジションにあり、第二スイッチが第三シフトポジションにある実施例の断面模式図である。
【図１３】図１２の第一スイッチが第一シフトポジションにあり、第二スイッチが第三シフトポジションにある別種の平面断面模式図である。
【図１４】上遮蔽板は押し棒に従っての移動は行わないが、下遮蔽板が台に従い運動し、図中の左側へと移動する状況を示す、本考案第一スイッチが第二シフトポジションから第三シフトポジションへと移動し、第二スイッチが第三シフトポジションにある実施例の断面模式図である。
【図１５】図１４の第一スイッチが第三シフトポジションにあり、第二スイッチが第三シフトポジションにある別種の平面断面模式図である。
【図１６】上遮蔽板は押し棒に従っての移動はまだ行わないが、下遮蔽板は台に従い運動し、図中左側へと移動を継続する状況、及び上遮蔽板第一端と下遮蔽板第一端との間に相互重なりを形成し、貫通孔を封鎖する状況を示す、本考案第一スイッチが第三シフトポジションから第四シフトポジションへと移り、第二スイッチが第三シフトポジションにある実施例の断面模式図である。
【図１７】図１６の第一スイッチが第四シフトポジションにあり、第二スイッチが第三シフトポジションにある別種の平面断面模式図である。
【図１８】上、下遮蔽板の第一端との間に相互重なりを保持し、貫通孔を封鎖する状況を示す、本考案第一スイッチが第四シフトポジションから第五シフトポジションへと移り、第二スイッチが第三シフトポジションにある実施例の断面模式図である。
【図１９】図１８の第一スイッチが第五シフトポジションにあり、第二スイッチが第三シフトポジションにある別種の平面断面模式図である。
【図２０】上、下遮蔽板の第一端との間に相互重なりを保持し、貫通孔を封鎖する状況を示す、本考案第一スイッチが第五シフトポジションから六シフトポジションへと移り、第二スイッチが第三シフトポジションにある実施例の断面模式図である。
【図２１】図２０の第一スイッチが第六シフトポジションにあり、第二スイッチが第三シフトポジションにある別種の平面断面模式図である。
【考案を実施するための形態】
【００１８】
以下に図面を参照しながら本考案を実施するための最良の形態について詳細に説明する。
【実施例】
【００１９】
図９に示すように、本考案マルチシフトポジションスイッチ構造は、殼体（或いはキーボードエリア）と少なくとも１個のマルチシフトポジションスイッチの組合せを備え、それぞれ参考番号３０、１０により表示する。
殼体（或いはキーボードエリア）３０は、計算機を例として実施例を説明する。
殼体３０には、複数のボタン３４を配置し、ボタン３４下方には、ラバークッション或いは導電層３５と回路板基層３６を設置する。
導電層３５は、内部空間を区画し、これにより接点（図示なし）を収容する。
接点と回路板基層３６とが接触すると、電気導通状態を形成する。
導電層３５は、弾性メカニズムを備えるため、ボタン３４がタップ或いは下圧されると変形量を生じ、これにより接点と回路板基層３６とは、電気導通或いは不導通状態を形成する。
【００２０】
図９の典型的実施例中において、殼体３０には、貫通孔３１を設置し、これによりマルチシフトポジションスイッチ１０を設置する。
実施例中では、マルチシフトポジションスイッチ１０は、第一スイッチ１０と定義される。
貫通孔３１に隣接する位置或いは区域上において、殼体３０はまた貫通孔３２を設置し、これに別のマルチシフトポジションスイッチを設置する。
実施例中では、このマルチシフトポジションスイッチは、第二スイッチ２０と定義される。
しかも、第一スイッチ１０は、６個のシフトポジションを備える小数点以下の数キーで、第二スイッチ２０は、３個のシフトポジションを備える小数点切上げ方式キーで、隣接或いは並列形態で、殼体３０（或いはキーボードエリア）上に配置される。
【００２１】
図１０、１１は、殼体３０内部の構造状況を示す。
殼体３０は、貫通孔３１、３２に近い区域上に、シフト槽或いはシフトポジション１０ａ、２０ａを設置する。
図中の右から左に向かう方向に、シフト槽或いはシフトポジション１０ａ、２０ａは、それぞれ第一シフトから第六シフトと定義される。
図１０は、第一スイッチ１０が、図中のシフト槽或いはシフトポジション１０ａの最も右側の第一シフトポジションにあり、第二スイッチ２０が、図中のシフト槽或いはシフトポジション２０ａの最左側の第三シフトポジションにある状況を示す。
【００２２】
殼体（或いはボタンエリア）３０には、少なくとも１個のフレーム３３を設置する。
本実施例中では、フレーム３３は、貫通孔３１、３２に沿って、或いはシフト槽或いはシフトポジション１０ａ、２０ａ区域に沿って、フレーム３３ａ、３３ｂ、３３ｃを備える。
しかも、殼体３０上には、少なくとも１個の第一区３７と一第二区３８を区画し、これにそれぞれ第一、二スイッチ１０、２０を設置する。
よって、貫通孔３１は、第一区３７の内側に位置し、貫通孔３２は、第二区３８の内側に位置する。
【００２３】
基本的には、第一、二スイッチ１０、２０の構造は、突出殼体（或いはキーボードエリア）３０の押し棒１１、２１、押し棒１１、２１に連接する台１２、２２を備える。
台１２、２２の底部には、導電片１５、２５を配置し、これにより回路板基層３６と直接電気的連接を形成する。
押し棒１１、２１は、殼体３０上の貫通孔３１、３２に配置し、キーボードエリアに突出し、これにより使用者は押し棒１１、２１を操作して、第一、二スイッチ１０、２０或いは台１２、２２を移動させることができる。
台１２、２２は、殼体３０内部の第一区３７と第二区３８内側にそれぞれ位置する。
【００２４】
図１０、１１に示すように、台１２、２２の一辺には、弾性部１７、２７、及び弾性部１７、２７上に連接する突起１３、２３を設置する。
これにより、突起１３、２３は弾性を呈して、第一、二スイッチ１０、２０に従い移動し、シフト槽或いはシフトポジション１０ａ、２０ａ内に係合する。
第二スイッチ２０の台２２には、遮蔽板２４、及び遮蔽板２４上に形成する孔２４ｃを設置する。
これにより、第二スイッチ２０の押し棒２１は通過し、こうして遮蔽板２４は台２２上面に組み合わされる。
但し、本実施例中の第二スイッチ２０は、遮蔽板２４を省くこともできる。
【００２５】
第一スイッチ１０は、重なった形態で、２枚の遮蔽板１４、及び遮蔽板１４上に形成する孔１４ｃを設置する。
これにより、第一スイッチ１０の押し棒１１は通過し、こうして遮蔽板１４は台１２上面に組み合わされる。
しかも、遮蔽板１４の重なった形態により、上遮蔽板１４ａと下遮蔽板１４ｂに定義する。
上、下遮蔽板１４ａ、１４ｂの孔１４ｃは、長方形を呈し、その面積は、押し棒１１の断面積より大きい。
よって、上、下遮蔽板１４ａ、１４ｂは、スライド形態で、台１２上面に組み合わされる。
【００２６】
遮蔽板１４、２４が、第一、二スイッチ１０、２０において操作され移動すると、遮蔽殼体（或いはボタンエリア）３０の貫通孔３１、３２を補助し、これにより貫通孔３１、３２が貫通し、殼体３０内部に配置する回路板基層３６の露出を回避することができる。
派生した実施例中では、遮蔽板１４は、第一スイッチ１０或いは台１２上に固定した形態とすることができる。
例えば、遮蔽板１４は押し棒１１両側の台１２上面に固定する形態とすることができる。
【００２７】
図１１に示すように、殼体３０は、第二区３８の貫通孔３２周辺に突出形態を設置することができる。
これにより、貫通孔３２は、図中の位置において、第一区３７の貫通孔３１より高くなり、第二区３８内には、リブ或いはリッジ３９を設置する。
リブ或いはリッジ３９の高度は、貫通孔３２周辺の突出形態の高度と相同である。
よって、第二スイッチ２０を、第二区３８に設置する時、その台２２の図１２中の参考（断）面χ上の高度は、第一スイッチ１０の台１２の高度より低い。
これにより、上遮蔽板１４ａ及び／或いは下遮蔽板１４ｂの少なくとも一部の区域は、隣接する第二スイッチ２０の運動範囲内に進入することができる。
よって、隣接する２個のスイッチの長さの合計、或いは間隔距離配置は、可能な限り最小まで縮小される。
【００２８】
本実施例中では、上、下遮蔽板１４ａ、１４ｂは孔１４ｃの両側に、それぞれ第一端１４ａ１、１４ｂ１と第二端１４ａ２、１４ｂ２を定義する。
しかも、上遮蔽板１４ａ及び／或いは下遮蔽板１４ｂの一部の区域、或いは第一端１４ａ１、１４ｂ１は、隣接する第二スイッチ２０の運動範囲内に進入することができる。
【００２９】
図１２、１３に示すように、第一スイッチ１０が、図中最も右側の第一シフトポジションにある時には、上遮蔽板１４ａと下遮蔽板１４ｂの第二端１４ａ２、１４ｂ２は、貫通孔３１を共同で遮蔽する。
図中にさらに示すように、第一スイッチ押し棒１１は、孔１４ｃの右側に接触する。
第一スイッチ１０或いは台１２の高度は、第二スイッチ２０或いは台２２の位置より高いため、上、下遮蔽板第一端１４ａ１、１４ｂ１は、第二スイッチ２０或いは第二区３８内側に進入する。
第一スイッチ１０が第一シフトポジションから第二シフトポジションへと移動する時、押し棒１１は、図中上遮蔽板１４ａの孔１４ｃの左側に未だ到達していないため、上遮蔽板１４ａは、被押し棒１１により押されないが、下遮蔽板１４ｂは、台１２に従い運動し、図中左側へと移動する。
【００３０】
図１４、１５は、第一スイッチ１０が第二シフトポジションから第三シフトポジションへと移動する状況を示す。
この時、押し棒１１は、図中上遮蔽板１４ａの孔１４ｃの左側にまだ到達していないため、上遮蔽板１４ａは、まだ押し棒１１に押されないが、下遮蔽板１４ｂは台１２に従い運動し、図中左側への移動を継続する。
【００３１】
図１６、１７は、第一スイッチ１０が第三シフトポジションから第四シフトポジションへと移動する状況を示す。
この時、押し棒１１は、図中上遮蔽板１４ａの孔１４ｃの左側に到達したばかりであるため、上遮蔽板１４ａはまだ押し棒１１に従って移動していないが、下遮蔽板１４ｂは台１２に従い運動し、図中左側への移動を継続する。
図から、上、下遮蔽板１４ａ、１４ｂの第一端１４ａ１、１４ｂ１が、相互重なりの位置にあることが分かる。
よって、上、下遮板の間に、位置がずれたことで空白或いは貫通区域が出現し、印刷回路板が露出する状況を形成した従来の技術の欠点を、明らかに改善することができる。
【００３２】
図１６、１７は、上、下遮蔽板１４ａ、１４ｂの第一端１４ａ１、１４ｂ１がなお相互重なりの位置にある要因を示している。
それは、以下の通りである。
１．従来の技術では、上遮蔽板及び／或いは下遮蔽板の長さは配置上の制限を受けていた。
上遮蔽板及び／或いは下遮蔽板の長さを拡大することで、空白或いは貫通区域ｓ（すなわち、図７、８に示す状況）を封鎖或いは補おうとするなら、第一、二キー１０’、２０’の間隔距離或いは長さの合計は、拡大せざるを得ず、それに相対して、殼体３０において占める配置空間も拡大する。
本考案実施例中では、上遮蔽板１４ａ及び／或いは下遮蔽板１４ｂの一部の区域或いは第一端１４ａ１、１４ｂ１は、隣接する第二スイッチ２０の運動範囲（或いは第二区３８）内に進入することができるため、上遮蔽板１４ａ及び／或いは下遮蔽板１４ｂの長さを拡大させて、空白或いは貫通区域ｓを封鎖或いは補うことができる。
しかも、第一、二スイッチ１０、２０の間隔距離或いは長さの合計を拡大する必要はなく、これに相対し、殼体３０に占める配置空間も拡大しない。
ある派生した実施例中では、第一スイッチ１０と第二スイッチ２０の間隔距離或いは長さの合計は、短縮させることもでき、これにより殼体３０平面或いは空間上の配置のフレキシビリティを拡大することができる。
例えば、従来の技術を示す図１の第一キー１０’の押し棒１１と第二キー２０’の押し棒２１との間の間隔距離Ｌ１は、約４．４センチだが、本考案の図１２に示す第一スイッチ１０の押し棒１１と第二スイッチ２０の押し棒２１との間の間隔距離Ｌ２は、約３センチまで短縮されている。
【００３３】
２．上遮蔽板１４ａ及び／或いは下遮蔽板１４ｂの一部の区域或いは第一端１４ａ１、１４ｂ１が、隣接する第二スイッチ２０の運動範囲（或いは第二区３８）内に進入可能とするため、第一スイッチ１０と第二スイッチ２０は、異なる高度位置上に位置する。
【００３４】
図１８、１９に示すように、第一スイッチ１０が、上記した第四シフトポジションから第五シフトポジションへと継続して移動する時、下記の２種の状況が生じると仮定できる。
３．台１２は、下遮蔽板１４ｂを連動し、図中左側へと移動させ、同時に、押し棒１１は、上遮蔽板１４ａを押し、図中左側へと移動させる。
よって、上、下遮蔽板１４ａ、１４ｂの間の関係位置は、図１６に示す状況に類似し、上、下遮蔽板１４ａ、１４ｂの第一端１４ａ１、１４ｂ１は、第二区３８の範囲を離れるが、なお相互重なりの位置にあり、位置がずれ空白或いは貫通区域が出現する状況は発生しない。
【００３５】
４．下遮蔽板１４ｂの第二端１４ｂ２が既にフレーム３３ａに阻害され、下遮蔽板１４ｂは、それ以上移動することができないと仮定する。
しかし、押し棒１１は、上遮蔽板１４ａを押し、図中の左側へと移動させ始め、これにより上遮蔽板１４ａと下遮蔽板１４ｂの間の関係位置は、やはり相互重なりの位置上となる。
【００３６】
図２０、２１に示すように、第一スイッチ１０が、上記した第五シフトポジションから第六シフトポジションへと移動する時、，下記の２種の状況が生じると仮定できる。
５．台１２は、下遮蔽板１４ｂを連動し、図中左側へと移動させ、同時に、押し棒１１は、上遮蔽板１４ａを押し、継続して図中左側へと移動させる。この時、押し棒１１は、図中貫通孔１１左側の行止りに到達し、それ以上移動することができなくなり、上、下遮蔽板１４ａ、１４ｂの間の関係位置は、図１８に示す状況に類似し、上、下遮蔽板１４ａ、１４ｂの第一端１４ａ１、１４ｂ１は、なお相互重なりの位置にあり、しかも貫通孔３１を封鎖する。
【００３７】
６．下遮蔽板１４ｂの第二端１４ｂ２が既にフレーム３３ａに阻害され、下遮蔽板１４ｂがそれ以上移動することができないと仮定する。
しかし、押し棒１１は、上遮蔽板１４ａを継続して押し、図中左側へと移動させるが、上遮蔽板１４ａと下遮蔽板１４ｂの間の関係位置は、図２０、２１に示す状況のように、なお相互重なりの位置上にある。
【００３８】
図１８、１９或いは図２０、２１の下遮蔽板第二端１４ｂ２が、フレーム３３ａに阻害されるか否かは、上、下遮蔽板１４ａ、１４ｂの第二端１４ａ２、１４ｂ２（及び／或いは第一端１４ａ１、１４ｂ１）の幅が、上、下遮蔽板１４ａ、１４ｂそのものの幅より小さい（或いは、等しい）か否かを含む。
例えば、図に示すように、上、下遮蔽板１４ａ、１４ｂの両端は、凸字輪郭の形態を呈するため、下遮蔽板第二端１４ｂ２の幅が、下遮蔽板１４ｂそのものの幅と等しい時には、下遮蔽板第二端１４ｂ２がフレーム３３ａに阻害される状況が生まれる。
【００３９】
下遮蔽板１４ａが台１２に従い移動する要因は、以下の通りである。
台１２上面に凸リブ１６を設置し、導電片１５に対応させ、これにより凸リブ１６は下遮蔽板１４ａを圧迫し、こうして殼体３０のフレーム３３或いは３３ａにより遮られなければ、下遮蔽板１４ａは台１２に従い移動する。
よって、台１２と下遮蔽板１４ａとの間の干渉或いは摩擦力は、下遮蔽板１４ａと上遮蔽板１４ｂとの間の干渉或いは摩擦力より大きい。
殼体３０は第二区３８の貫通孔３２周辺に突出形態を形成し、或いは第二区３８内に、リブ或いはリッジ３９を設置する。
これにより、第二スイッチ２０を第二区３８に設置する時、台２２の参考（断）面χ上の高度は、第一スイッチ１０の台１２の高度より低くなる。
【００４０】
よって、ある修正した実施例中では、図中の参考（断）面ｙ（例えば、回路板基層３６を参考面とする）により、第一スイッチ１０或いは台１２の高度（或いは位置）は、第二スイッチ２０或いは台２２の高度（或いは位置）より高くなり、こうして上記のように、上遮蔽板１４ａ及び／或いは下遮蔽板１４ｂの一部の区域或いは第一端１４ａ１、１４ｂ１は、隣接する第二スイッチ２０の運動範囲（或いは第二区３８）内に進入することができる。
【００４１】
すなわち、本考案マルチシフトポジションスイッチ構造は、従来の技術に比べ、異なる設計概念を提供し、その構造設計は、複数のファンクションキー或いはスイッチを配置するという条件の下、従来の技術が、ボタンエリア空間配置上において他のボタン或いはファンクションキーを押しのけるという状況を改善することができるばかりか、電子製品或いは計算機上の配置（幅或いは間隔距離）を縮小することができる。
従来の技術中では、キー或いはスイッチを操作する時、遮蔽板位置がずれ貫通或いは空白等状況が出現するが、その構造設置或いは空間形態を工夫することで、従来の技術とは明らかに異なり、高い効果と機能を達成することができる。
【００４２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００４３】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００４４】
１０’                  第一キー
２０’                  第二キー
１０                    第一スイッチ
１０ａ、２０ａ          シフト槽或いはシフトポジション
１１、２１              押し棒
１２、２２              台
１３、２３              突起
１４、２４              遮蔽板
１４ａ                  上遮蔽板
１４ｂ                  下遮蔽板
１４ａ１、１４ｂ１      第一端
１４ａ２、１４ｂ２      第二端
１４ｃ                  孔
１５、２５              導電片
１６                    凸リブ
１７、２７              弾性部
２０                    第二スイッチ
３０                    殼体（或いはボタンエリア）
３１、３２              貫通孔
３３                    フレーム
３３ａ、３３ｂ、３３ｃ  フレーム
３４                    ボタン
３５                    導電層
３６                    回路板基層
３７                    第一区
３８                    第二区
３９                    リッジ
Ｌ１、Ｌ２              間隔距離
χ                      貫通区域
ｙ、ｚ                  参考（断）面
【図１】
0003171378.tif 000003
【図２】
0003171378.tif 000004
【図３】
0003171378.tif 000005
【図４】
0003171378.tif 000006
【図５】
0003171378.tif 000007
【図６】
0003171378.tif 000008
【図７】
0003171378.tif 000009
【図８】
0003171378.tif 000010
【図９】
0003171378.tif 000011
【図１０】
0003171378.tif 000012
【図１１】
0003171378.tif 000013
【図１２】
0003171378.tif 000014
【図１３】
0003171378.tif 000015
【図１４】
0003171378.tif 000016
【図１５】
0003171378.tif 000017
【図１６】
0003171378.tif 000018
【図１７】
0003171378.tif 000019
【図１８】
0003171378.tif 000020
【図１９】
0003171378.tif 000021
【図２０】
0003171378.tif 000022
【図２１】
0003171378.tif 000023